(57)【要約】  手持ちの状態のみならず、横にした状態、立てかけた状態、あるいは、吊り下げた状態で、使用することができる、スポットライトを提供する。本発明のハンドヘルド・スポットライト(10)は、ハウジング(20)に枢動可能に取り付けられたハンドル(30)を備える。ハンドル(30)は、ハウジング(20)から出射される照射ビームの方向に平行な１８０°の円弧に沿った複数の位置に係止することが可能となっている。【選択図】図１
2013518392.tif 000002
【特許請求の範囲】
【請求項１】
電源と、所定軸に沿って照射ビームを生成するランプとを有するハウジングと、
第１端部と第２端部を有し、第１端部において前記ハウジングにピボット接続し、円弧状の経路に沿って第２の端部が移動可能となっている、ハンドルと、
を備える、スポットライト。
【請求項２】
前記円弧状の経路の開始端と終端が、前記所定軸に平行となるように設定される、請求項１に記載のスポットライト。
【請求項３】
前記円弧状の経路が、前記ハンドルの１８０°の回旋動作を可能とする、請求項１に記載のスポットライト。
【請求項４】
前記円弧状の経路に沿った少なくとも２つの異なる位置に、前記ハンドルを一時的に固定することを可能とする、ハンドルロック手段をさらに備える、請求項２または３に記載のスポットライト。
【請求項５】
前記電源が、交換可能な電源パックにより構成される、請求項２または３に記載のスポットライト。
【請求項６】
前記ランプが、発光ダイオード、白熱ランプ、および蛍光ランプのいずれかである、請求項２または３に記載のスポットライト。
【請求項７】
長手方向の軸を有し、照射ビームを生成する手段を備え、該照射ビームが前記長手方向の軸に平行に出射されるように構成されている、ハウジングと、
細長い本体を備え、前記ハウジングに枢軸を介して接続され、かつ、該枢軸を中心に回旋可能であり、前記本体が、前記照射ビームに対して平行となるまで、円弧状に動くことが可能となっている、ハンドルと、
を備える、スポットライト。
【請求項８】
前記照射ビームを生成する手段が、電源およびランプを備える、請求項７に記載のスポットライト。
【請求項９】
前記本体が、前記枢軸を中心に１８０°回旋可能となっている、請求項７に記載のスポットライト。
【請求項１０】
前記円弧に沿った少なくとも２つの異なる位置に、前記ハンドルを一時的に固定するためのハンドルロック手段をさらに備える、請求項７に記載のスポットライト。
【請求項１１】
前記電源が、交換可能な電源パックにより構成される、請求項８に記載のスポットライト。
【請求項１２】
前記ランプが、発光ダイオード、白熱ランプ、および蛍光ランプのいずれかである、請求項８に記載のスポットライト。
【発明の詳細な説明】
【技術分野】
【０００１】
本発明は、ライト（照明器具）、具体的には、スポットライトなどのハンドヘルドライトに関する。
【背景技術】
【０００２】
通常、スポットライトは、携帯可能なライトの形態を採る、ユーザが手に持って使用する照明器具である。ハンドヘルド・スポットライトは、所望の方向に焦点を合わせることが可能であるワイドビームのフラッシュライト（懐中電灯）の一種であるといえる。スポットライトは、たとえば、アウトドアにおける照明、停電の際のバックアップ照明、暗い場所で物を探したり、暗い場所で作業したりする場合の光源として、多種多様な用途に利用可能である。スポットライトを、１つだけで幅広い活動分野で利用することができることが望ましく、したがって、スポットライトを、手持ちの状態のみならず、横にした状態、立てかけた状態、あるいは、吊り下げた状態で、使用できるようにすることが望まれる。
【発明の概要】
【発明が解決しようとする課題】
【０００３】
以下、本発明の理解のために、いくつかの実施形態について、簡略に概要を述べるが、この概要は、本発明の外延を画するものではなく、また、本発明の範囲を画定するための主要な要素を特定することも意図されていない。
【０００４】
本発明の一実施形態においては、スポットライトが提供される。このスポットライトは、スポットライトのハウジングに枢動可能に取り付けられたハンドルを備える。このハンドルは、照射ビームの方向に対して、約１８０°の円弧を描いて動かすことができ、かつ、この範囲の複数箇所において一時的にロックすることが可能となっている。
【０００５】
本発明のその他の特徴は、図面および以下の詳細な説明により、明確とされる。
【図面の簡単な説明】
【０００６】
【図１】図１は、本発明の一実施形態のスポットライトの正面斜視図である。
【図２】図２は、図１のスポットライトの左側面図である。
【図３】図３は、図１のスポットライトの、第１の収容位置における側面斜視図である。
【図４】図４は、図１のスポットライトのハンドルの旋回動作を示す右側面図である。
【図５】図５は、図１のスポットライトの右側面図である。
【図６】図６は、図５のスポットライトの断面図であり、ロック機構を示す。
【図７】図７は、図１のスポットライトの正面図である。
【図８】図８は、図１のスポットライトの背面図である。
【図９】図９は、図１のスポットライトの背面斜視図である。
【図１０】図１０は、図１のスポットライトの平面図である。
【図１１】図１１は、図１のスポットライトの底面図である。
【発明を実施するための形態】
【０００７】
以下、本発明のさまざまな実施形態について記述する。なお、本発明に対する理解を十分に図るため、その具体的な構造について詳細に説明するが、当業者であれば、このような詳細な説明がなくても、本発明を実施することは可能である。また、周知の特徴については、本実施形態についての記述を明確にするため、省略または簡略化する。
【０００８】
図面を参照するが、それぞれの図面において、同様の部分については同様の参照番号を付している。図１は、本発明の一実施形態におけるスポットライト１０を示している。スポットライト１０は、ハウジング２０とハンドル３０を有する。スポットライト１０は、透明レンズ５０、このレンズの後ろに取り付けられた反射鏡６０、および反射鏡６０に取り付けられ、発光ダイオード（ＬＥＤ）を備え、従来技術と同様に、光のビームをハウジング２０から出射するように構成されている。照射ビームαは、図２に示すように、ハウジング２０から平行に伸長する概ね長手方向の進路に沿って照射される。本例では、ＬＥＤが採用されているが、スポットライトの光源としては、ハロゲンランプ、白熱ランプ、蛍光ランプなど、その他の任意のランプやライトを用いることもできる。
【０００９】
スポットライト１０は、内部配線（図示せず）と電源スイッチ８０とを備え、ユーザがこのスイッチを使用して、ライトを点灯および消灯することができるようになっている。ハウジング２０の背面には、レセプタクル５４が設けられ、交換可能な電源パック５５を収容する空洞が形成されている。好ましくは、電源パック５５は、バッテリ、充電式バッテリ、燃料電池などを動力源とする。また、レセプタクル５４にバッテリ（図示せず）を入れて、キャップ（図示せず）で蓋をして固定する構造も、本発明の範囲に属する。
【００１０】
ハウジング２０は、略円筒状または樽状の形状で、その外周に複数のベント２３を備えており、これにより、空気がハウジング２０を通って循環することが可能となり、スポットライトの状態を適切に維持できる。また、ハウジング２０は、レンズ５０の周辺でハウジング２０の外周を取り囲むヘゼル２２を備え、通常の使用時における損傷あるいは落下時の衝撃による損傷から、スポットライト１０を保護するようになっている。
【００１１】
ハンドル３０は、グリップ３２とベース３４を備える。グリップ３２には、ユーザがより安定してスポットライトを握ることができるよう、凹凸パターンを設けることができる。ベース３４は、側部３５、３６を有し、それぞれの上端部３５ａ、３６ｂで、ハウジング２０と連結している。図５〜図８に示すように、それぞれの上端部３５ａ、３６ａは、平坦な内壁３５ｉ、３６ｉと、湾曲した外壁３５ｏ、３６ｏと、頂上部３５ｔ、３６ｔと、を備える。ベース３４は、湾曲した側壁３５ｏ、３６ｏおよび平坦な上壁３７で形成される。
【００１２】
側部３５、３６の内壁および外壁には、円形の開口部３８、３９が設けられている。
【００１３】
ハウジング２０は、ハウジングから下方に伸長し、ハンドル３０の上端部３５ａと３６ａとの間に位置するよう寸法が定められたピボット部２４を備える。ピボット部２４は、一対の平坦な側壁２５、２６とＵ字型の端壁２７を有する。それぞれの側壁には、開口部２８が設けられる。ピボット部２４は、少なくともハウジング２０の一部と一体成形されることが好ましいが、ハウジングとは別に形成してもよい。
【００１４】
ハウジング２０のピボット部２４は、開口部３８、３９、および２８を貫通する枢動ピン４０により、ハンドル３０の側部の上端部３５ａ、３６ａの間に枢動可能に保持される。ハンドル３０は、ハウジング２０の上に枢動ピン４０で保持され、ハンドルロック手段により調節可能となっている。
【００１５】
本例において、ハンドルロック手段は、ピボット部の端壁２７に設けられ、４つの雌型ロック機構２９ａ〜２９ｄを備える。雌型ロック機構２９ａ〜２９ｄは、ハウジング２０および照射ビームαに対して４つの異なる角度のいずれかに、ハンドル３０を角度調節して固定する機能を有する。ハンドル３０は、雄型ロックピン４２、スプリング４３、およびインターフェイス４４を備えたロックスイッチ４１を有する。雄型ロックピン４２は、雌型ロック機構２９ａ、２９ｂ、２９ｃ、２９ｄのいずれかの内部に収まり、所望の位置にハンドル３０を保持する。使用時に、ロックスイッチ４１を、ロック静止位置から、スプリングがバイアスされたロック解除位置へと、動かすことにより、雄型ロックピン４２は下方へ動き、雌型ロック機構２９ａ〜２９ｄのいずれかとの嵌合が解除される。雄型ロックピン４２が、雌型ロック機構との嵌合から外れると、ハンドル３０は、照射ビームαの方向に対して約１８０°の円弧の範囲内で、所望の位置へと旋回することが可能となる。ハンドル３０を、照射ビームαの方向に対して約１８０°の円弧の範囲内で、所望の位置へとハンドル３０を旋回させてロックさせることを可能とする、その他の手段も、本発明の範囲に属する。
【００１６】
本例では、ハンドル３０は、約１８０°旋回する。第１のポジションにおいて、雄型ロックピン４２は、雌型ロック機構２９ａと嵌合する。この場合、ハンドル３０は、照射ビームαの方向とほぼ平行となる位置にあり、図３に示すようにコンパクトな収納が可能となる。第１のポジションにおいて、ハンドル３０は、ハウジング２０に当接する。図４に示すように、さらに３つの異なるポジションを取ることが可能である。
【００１７】
第２のポジションにおいて、雄型ロックピン４２は、雌型ロック機構２９ｂと嵌合する。この場合、ハンドル３０は、第１のポジションから約４５°の位置にあり、面上にスポットライト１０を置いて、光ビームを照射することができる。第３のポジションにおいて、雄型ロックピン４２は、雌型ロック機構２９ｃと嵌合する。この場合、ハンドル３０は、第１のポジション、および照射ビームαの方向から約９０°の位置にある。
【００１８】
第３のポジションの場合、従来のピストル型のハンドルとして使用でき、スポットライト３０をピストルのように直立状態で持つことができるため、所望の方向に光ビームを向けることが容易となる。
【００１９】
第４のポジションにおいて、雄型ロックピン４２は、雌型ロック機構２９ｄと嵌合する。この場合、ハンドル３０は、第１のポジションから約１７０°旋回した位置にある。第４のポジションでは、ハンドル部の末端に位置するハンドルフック４５を用いて、スポットライト１０を吊り下げることが可能となる。照明を下方へと向けるため、フック、ループなどでスポットライト１０を吊すことができる。このように、ハンドルロック手段により、ライトを所望の位置に吊したり、置いたり、立て掛けたりすることが可能となる。
【００２０】
本例では、ピボット部２４の雌型ロック機構２９ａ〜２９ｄは４つであるが、雌型ロック機構の数は増減可能であり、これに対応して固定可能なハンドル位置も増減するが、このような構造も本発明の範囲に属する。また、４つの特定のハンドル位置について詳細に説明したが、この固定位置の角度を変更した構造も、本発明の範囲に属する。同様に、添付図面においては、約１７０°の円弧に沿った動きを描写しているが、このような円弧に沿った動きの量は、もっと多くてもよいし、少なくてもよい。
【００２１】
ハウジング２０およびハンドル３０は、ＡＢＳ樹脂で形成されることが好ましい。ただし、その他の従来から使用されている材料を用いたものも、本発明の範囲に属する。こうした材料は、任意の色を採用できる。ベゼル２２、レセプタクル５４、ハンドルグリップ３２、および電源スイッチ８０などのその他の要素は、ラバー製であることが好ましい。これにより、使用時におけるスポットライト１０の保護が一層強化されるとともに、衝撃吸収、絶縁、グリップ機能の向上という点でも、有益である。また、ラバー製のグリップ３２は、スポットライトをテーブルやその他の面に置いたり、立て掛けたりする際に、スポットライトの位置を維持し、照射ビームを安定させるためにも役立つ。美的観点から、ラバーにペイントを施すことも可能である。また、ラバー以外の材料、たとえば、モールド成形した熱可塑性エラストマー（ＴＰＥ）など、同様の衝撃吸収、静止摩擦特性を有する材料を、ベゼルやグリップに用いた構造も、本発明の範囲に属する。
【００２２】
ハンドル３０は、その末端部分に、開口部を形成するフック４５を備える。フック４５は、照射ビームを方向づける付加的手段としても機能する。フック４５にカラビナ（図示せず）を設けることにより、フック４５をループなどに取り外し可能に固定できるようにした構造も、本発明の範囲に属する。
【００２３】
本例では、スポットライト１０は、従来型の一般的な形状を有しているが、本発明の実施形態を、その他のデザインのスポットライトに適用することも可能である。さらに、本発明の概念は、電気ランタンなど、その他あらゆる照明器具にも応用可能である。
【符号の説明】
【００２４】
１０  スポットライト
２０  ハウジング
２２  ベゼル
２３  ベント
２４  ピボット部
２５、２６  側壁
２７  端壁
２８  開口部
２９ａ〜２９ｄ  雌型ロック機構
３０  ハンドル
３２  グリップ
３４  ベース
３５、３６  側部
３５ａ、３６ａ  上端部
３５ｉ、３６ｉ  内壁
３５ｏ、３６ｏ  側壁（外壁）
３５ｔ、３６ｔ  頂上部
３８、３９  開口部
４１  ロックスイッチ
４２  雄型ロックピン
４３  スプリング
４４  インターフェイス
４５  フック
５０  透明レンズ
５４  レセプタクル
５５  電源パック
６０  反射鏡
８０  電源スイッチ
【図１】
2013518392.tif 000003
【図２】
2013518392.tif 000004
【図３】
2013518392.tif 000005
【図４】
2013518392.tif 000006
【図５】
2013518392.tif 000007
【図６】
2013518392.tif 000008
【図７】
2013518392.tif 000009
【図８】
2013518392.tif 000010
【図９】
2013518392.tif 000011
【図１０】
2013518392.tif 000012
【図１１】
2013518392.tif 000013
【国際調査報告】
2013518392.tif 000014
2013518392.tif 000015